(57)【要約】【課題】サラウンド機能およびイコライザ機能を備えた情報再生装置において、音場再生特性を十分に発揮するとともに、音の歪みを発生させない。【解決手段】現在設定されているボリューム値を記憶したボリュームメモリ１１と、ボリューム値およびサラウンド係数値に対応する最適なイコライザ係数値を記憶したイコライザ係数メモリ（サラウンド毎イコライザ係数メモリ１２）と、ボリューム値およびイコライザ係数値に対応する最適なサラウンド係数値を記憶したサラウンド係数メモリ（イコライザ毎サラウンド係数メモリ１３）を備える。設定手段（表示部１４，操作部１５，ＣＰＵ１６）により、各メモリに記憶された数値に基づいて、最適なボリューム値、イコライザ係数値、およびサラウンド係数値を設定する。【選択図】          図１
2005004928.tif 000002
【特許請求の範囲】
【請求項１】
サラウンド機能およびイコライザ機能を備えた情報再生装置において、
現在設定されているボリューム値を記憶したボリュームメモリと、
ボリューム値およびサラウンド係数値に対応する最適なイコライザ係数値を記憶したイコライザ係数メモリと、
ボリューム値およびイコライザ係数値に対応する最適なサラウンド係数値を記憶したサラウンド係数メモリと、
前記ボリュームメモリに記憶されたボリューム値、前記イコライザ係数メモリに記憶されたイコライザ係数値、および前記サラウンド係数メモリに記憶されたサラウンド係数値に基づいて、最適なボリューム値、イコライザ係数値、およびサラウンド係数値を設定する設定手段とを備えたことを特徴とする情報再生装置。
【請求項２】
サラウンド機能およびイコライザ機能を備えた情報再生装置において、
現在設定されているボリューム値を記憶したボリュームメモリと、
ボリューム値に対応する最適なイコライザ係数値を記憶したイコライザ係数メモリと、
ボリューム値およびイコライザ係数値に対応する最適なサラウンド係数値を記憶したサラウンド係数メモリと、
前記ボリュームメモリに記憶されたボリューム値、前記イコライザ係数メモリに記憶されたイコライザ係数値、および前記サラウンド係数メモリに記憶されたサラウンド係数値に基づいて、最適なボリューム値、イコライザ係数値、およびサラウンド係数値を設定する設定手段とを備えたことを特徴とする情報再生装置。
【請求項３】
サラウンド機能およびイコライザ機能を備えた情報再生装置において、
現在設定されているボリューム値を記憶したボリュームメモリと、
ボリューム値およびサラウンド係数値に対応する最適なイコライザ係数値を記憶したイコライザ係数メモリと、
ボリューム値に対応する最適なサラウンド係数値を記憶したサラウンド係数メモリと、
前記ボリュームメモリに記憶されたボリューム値、前記イコライザ係数メモリに記憶されたイコライザ係数値、および前記サラウンド係数メモリに記憶されたサラウンド係数値に基づいて、最適なボリューム値、イコライザ係数値、およびサラウンド係数値を設定する設定手段とを備えたことを特徴とする情報再生装置。
【請求項４】
サラウンド機能およびイコライザ機能を備えた情報再生装置において、
現在設定されているボリューム値を記憶したボリュームメモリと、
ボリューム値に対応する最適なイコライザ係数値を記憶したイコライザ係数メモリと、
ボリューム値に対応する最適なサラウンド係数値を記憶したサラウンド係数メモリと、
前記ボリュームメモリに記憶されたボリューム値、前記イコライザ係数メモリに記憶されたイコライザ係数値、および前記サラウンド係数メモリに記憶されたサラウンド係数値に基づいて、最適なボリューム値、イコライザ係数値、およびサラウンド係数値を設定する設定手段とを備えたことを特徴とする情報再生装置。
【発明の詳細な説明】
【０００１】
【発明の属する技術分野】
本発明は、サラウンド機能およびイコライザ機能を備えた情報再生装置に関する。
【０００２】
【従来の技術】
従来、イコライザ機能を備えたステレオ装置等の情報再生装置において、音場再生特性を改善するための技術が種々提案されている（例えば、特許文献１参照）。
【０００３】
以下、図９を参照して、イコライザ係数設定機能を備えた従来のステレオ装置について説明する。図９は、従来のイコライザ係数設定機能を備えたステレオ装置の概略構成を示すブロック図である。
【０００４】
従来のイコライザ係数設定機能を備えたステレオ装置は、図９に示すように、所定のイコライザ係数値が記憶されているイコライザ係数メモリ２と、所定のイコライザ係数値にそれぞれ対応して定められたボリューム値が記憶されているボリュームメモリ１と、イコライザ係数値の設定を表示する表示部４と、イコライザ係数値の設定およびボリューム値の設定を行う操作部５と、これらを制御するＣＰＵ３を備えている。
【０００５】
このステレオ装置では、ＣＰＵ３が所定のプログラムに従って動作することにより、イコライザ係数メモリ２に記憶されたイコライザ係数値と、ボリュームメモリ１に記憶されたボリューム値に基づいて、イコライザ係数値およびボリューム値を設定するようになっている。
【０００６】
【特許文献１】
実開平３−１２３３９９号公報
【０００７】
【発明が解決しようとする課題】
しかしながら、上述したステレオ装置は、イコライザ係数値とボリューム値のみの関係に基づいて音場再生特性を改善しようとしたものであり、イコライザ機能のみではなく、さらにサラウンド機能を備えた情報再生装置において、上述した方法によりイコライザ係数値を設定した場合、あるいはイコライザ係数値の設定方法と同様の方法によりサラウンド係数値の設定を行うと、サラウンド機能およびイコライザ機能における音場再生特性を十分に発揮することができなかった。さらに、ボリューム値を適正に設定することができない場合には音の歪みが発生してしまうおそれがあった。
【０００８】
本発明は、上述した事情に鑑み提案されたもので、サラウンド機能およびイコライザ機能を備えた情報再生装置において、音場再生特性を十分に発揮するとともに、音の歪みを発生させないことを目的とする。
【０００９】
【課題を解決するための手段】
本発明に係る情報再生装置は、サラウンド機能およびイコライザ機能を備えた情報再生装置において、現在設定されているボリューム値を記憶したボリュームメモリと、ボリューム値およびサラウンド係数値に対応する最適なイコライザ係数値を記憶したイコライザ係数メモリと、ボリューム値およびイコライザ係数値に対応する最適なサラウンド係数値を記憶したサラウンド係数メモリと、前記ボリュームメモリに記憶されたボリューム値、前記イコライザ係数メモリに記憶されたイコライザ係数値、および前記サラウンド係数メモリに記憶されたサラウンド係数値に基づいて、最適なボリューム値、イコライザ係数値、およびサラウンド係数値を設定する設定手段とを備えたことを特徴とするものである。
【００１０】
また、本発明に係る情報再生装置は、サラウンド機能およびイコライザ機能を備えた情報再生装置において、現在設定されているボリューム値を記憶したボリュームメモリと、ボリューム値に対応する最適なイコライザ係数値を記憶したイコライザ係数メモリと、ボリューム値およびイコライザ係数値に対応する最適なサラウンド係数値を記憶したサラウンド係数メモリと、前記ボリュームメモリに記憶されたボリューム値、前記イコライザ係数メモリに記憶されたイコライザ係数値、および前記サラウンド係数メモリに記憶されたサラウンド係数値に基づいて、最適なボリューム値、イコライザ係数値、およびサラウンド係数値を設定する設定手段とを備えたことを特徴とするものである。
【００１１】
また、本発明に係る情報再生装置は、サラウンド機能およびイコライザ機能を備えた情報再生装置において、現在設定されているボリューム値を記憶したボリュームメモリと、ボリューム値およびサラウンド係数値に対応する最適なイコライザ係数値を記憶したイコライザ係数メモリと、ボリューム値に対応する最適なサラウンド係数値を記憶したサラウンド係数メモリと、前記ボリュームメモリに記憶されたボリューム値、前記イコライザ係数メモリに記憶されたイコライザ係数値、および前記サラウンド係数メモリに記憶されたサラウンド係数値に基づいて、最適なボリューム値、イコライザ係数値、およびサラウンド係数値を設定する設定手段とを備えたことを特徴とするものである。
【００１２】
また、本発明に係る情報再生装置は、サラウンド機能およびイコライザ機能を備えた情報再生装置において、現在設定されているボリューム値を記憶したボリュームメモリと、ボリューム値に対応する最適なイコライザ係数値を記憶したイコライザ係数メモリと、ボリューム値に対応する最適なサラウンド係数値を記憶したサラウンド係数メモリと、前記ボリュームメモリに記憶されたボリューム値、前記イコライザ係数メモリに記憶されたイコライザ係数値、および前記サラウンド係数メモリに記憶されたサラウンド係数値に基づいて、最適なボリューム値、イコライザ係数値、およびサラウンド係数値を設定する設定手段とを備えたことを特徴とするものである。
【００１３】
ここで、設定手段は、例えば、ＣＰＵ、表示部、および操作部から構成される。このような構成からなる情報再生装置では、表示部により、サラウンド係数値、イコライザ係数値、およびボリューム値が表示される。そして、ユーザ等の操作により、サラウンド係数値、イコライザ係数値、あるいはボリューム値の少なくとも１つの変更が指示されると、ＣＰＵが所定のプログラムに従って動作し、音場再生特性を十分に発揮するとともに、音の歪みを発生させることがないように、最も適切なサラウンド係数値、イコライザ係数値、およびボリューム値を設定する。
【００１４】
【発明の実施の形態】
以下、図面に示す具体的な実施例に基づいて、本発明に係る情報再生装置の実施形態について説明する。なお、情報再生装置とは、例えば、サラウンド機能およびイコライザ機能を備えたＣＤプレイヤ、ＭＤプレイヤ、ＤＶＤプレイヤ、ラジオ受信機、テレビ受信機、これらの機能を兼ね備えた複合プレイヤ、あるいはこれらの機能を発揮することが可能な機器を搭載したパーソナルコンピュータ等のことをいう。
【００１５】
＜実施例１＞
図１は、本発明の実施例１に係る情報再生装置の概略構成を示すブロック図である。
本発明の実施例１に係る情報再生装置は、図１に示すように、現在設定されているボリューム値を記憶したボリュームメモリ１１と、ボリューム値およびサラウンド係数値に対応する最適なイコライザ係数値を記憶したサラウンド毎イコライザ係数メモリ１２と、ボリューム値およびイコライザ係数値に対応する最適なサラウンド係数値を記憶したイコライザ毎サラウンド係数メモリ１３と、ボリューム値、イコライザ係数値、およびサラウンド係数値を表示する表示部１４と、ボリューム値、イコライザ係数値、およびサラウンド係数値の設定を行う操作部１５と、これらを制御するＣＰＵ１６を備えている。
【００１６】
なお、ＣＰＵ１６、表示部１４、および操作部１５が、最適なボリューム値、イコライザ係数値、およびサラウンド係数値を設定する設定手段として機能する。
【００１７】
実施例１に係る情報再生装置では、表示部１４に、現在のサラウンド係数値、イコライザ係数値、およびボリューム値が表示される。そして、ユーザが操作部１５を操作することにより、サラウンド係数値、イコライザ係数値、あるいはボリューム値の少なくとも１つの変更が指示されると、ＣＰＵ１６が所定のプログラムに従って動作し、音場再生特性を十分に発揮するとともに、音の歪みを発生させることがないように、最も適切なサラウンド係数値、イコライザ係数値、およびボリューム値を設定する。
【００１８】
次に、図２を参照して、実施例１に係る情報再生装置において、最適なボリューム値、イコライザ係数値、およびサラウンド係数値を設定する手順を説明する。図２は、実施例１に係る情報再生装置において、最適なボリューム値、イコライザ係数値、およびサラウンド係数値を設定する手順を示すフローチャートである。
【００１９】
実施例１に係る情報再生装置では、ボリューム値の変更が指示されたか否かを監視し（Ｓ１１）、ボリューム値の変更が指示された場合には、サラウンド毎イコライザ係数メモリ１２およびイコライザ毎サラウンド係数メモリ１３へアクセスして、変更後のボリューム値に対応する最適なイコライザ係数値およびサラウンド係数値を読み出し、当該イコライザ係数値およびサラウンド係数値を設定する（Ｓ１２）。
【００２０】
また、サラウンド係数値の変更が指示されたか否かを監視し（Ｓ１３）、サラウンド係数値の変更が指示された場合には、現在のイコライザ係数値の設定を確認するとともに（Ｓ１４）、イコライザ毎サラウンド係数メモリ１３へアクセスして、現在のボリューム値およびイコライザ係数値に対応する最適なサラウンド係数値を読み出し、当該サラウンド係数値を設定する（Ｓ１５）。
【００２１】
また、イコライザ係数値の変更が指示されたか否かを監視し（Ｓ１６）、イコライザ係数値の変更が指示された場合には、現在のサラウンド係数値の設定を確認するとともに（Ｓ１７）、サラウンド毎イコライザ係数メモリ１２へアクセスして、現在のボリューム値およびサラウンド係数値に対応する最適なイコライザ係数値を読み出し、当該イコライザ係数値を設定する（Ｓ１８）。
【００２２】
＜実施例２＞
図３は、本発明の実施例２に係る情報再生装置の概略構成を示すブロック図である。
本発明の実施例２に係る情報再生装置は、上記実施例１に係る情報再生装置と比較して、イコライザ係数値を記憶するためのメモリに、ボリューム値に対応する最適なイコライザ係数値が記憶されている点が異なり、その他の構成は実施例１に係る情報再生装置とほぼ同様となっている。
【００２３】
すなわち、実施例２に係る情報再生装置は、図３に示すように、現在のボリューム値を記憶したボリュームメモリ２１と、ボリューム値に対応する最適なイコライザ係数値を記憶したイコライザ係数メモリ２２と、ボリューム値およびイコライザ係数値に対応する最適なサラウンド係数値を記憶したイコライザ毎サラウンド係数メモリ２３と、ボリューム値、イコライザ係数値、およびサラウンド係数値を表示する表示部２４と、ボリューム値、イコライザ係数値、およびサラウンド係数値の設定を行う操作部２５と、これらを制御するＣＰＵ２６を備えている。
【００２４】
なお、ＣＰＵ２６、表示部２４、および操作部２５が、最適なボリューム値、イコライザ係数値、およびサラウンド係数値を設定する設定手段として機能する。
【００２５】
実施例２に係る情報再生装置では、表示部２４に、現在のサラウンド係数値、イコライザ係数値、およびボリューム値が表示される。そして、ユーザが操作部２５を操作することにより、サラウンド係数値、イコライザ係数値、あるいはボリューム値の少なくとも１つの変更が指示されると、ＣＰＵ２６が所定のプログラムに従って動作し、音場再生特性を十分に発揮するとともに、音の歪みを発生させることがないように、最も適切なサラウンド係数値、イコライザ係数値、およびボリューム値を設定する。
【００２６】
次に、図４を参照して、実施例２に係る情報再生装置において、最適なボリューム値、イコライザ係数値、およびサラウンド係数値を設定する手順を説明する。図４は、実施例２に係る情報再生装置において、最適なボリューム値、イコライザ係数値、およびサラウンド係数値を設定する手順を示すフローチャートである。
【００２７】
実施例２に係る情報再生装置では、ボリューム値の変更が指示されたか否かを監視し（Ｓ２１）、ボリューム値の変更が指示された場合には、イコライザ係数メモリ２２およびイコライザ毎サラウンド係数メモリ２３へアクセスして、変更後のボリューム値に対応する最適なイコライザ係数値およびサラウンド係数値を読み出し、当該イコライザ係数値およびサラウンド係数値を設定する（Ｓ２２）。
【００２８】
また、サラウンド係数値の変更が指示されたか否かを監視し（Ｓ２３）、サラウンド係数値の変更が指示された場合には、現在のイコライザ係数値の設定を確認するとともに（Ｓ２４）、イコライザ毎サラウンド係数メモリ２３へアクセスして、現在のボリューム値およびイコライザ係数値に対応する最適なサラウンド係数値を読み出し、当該サラウンド係数値を設定する（Ｓ２５）。
【００２９】
また、イコライザ係数値の変更が指示されたか否かを監視し（Ｓ２６）、イコライザ係数値の変更が指示された場合には、イコライザ係数メモリ２２へアクセスして、現在のボリューム値に対応する最適なイコライザ係数値を読み出し、当該イコライザ係数値を設定する（Ｓ２７）。
【００３０】
＜実施例３＞
図５は、本発明の実施例３に係る情報再生装置の概略構成を示すブロック図である。
本発明の実施例３に係る情報再生装置は、上記実施例１に係る情報再生装置と比較して、サラウンド係数値を記憶するためのメモリに、ボリューム値に対応する最適なサラウンド係数値が記憶されている点が異なり、その他の構成は実施例１に係る情報再生装置とほぼ同様となっている。
【００３１】
すなわち、実施例３に係る情報再生装置は、図５に示すように、現在のボリューム値を記憶したボリュームメモリ３１と、ボリューム値およびサラウンド係数値に対応する最適なイコライザ係数値を記憶したサラウンド毎イコライザ係数メモリ３２と、ボリューム値に対応する最適なサラウンド係数値を記憶したサラウンド係数メモリ３３と、ボリューム値、イコライザ係数値、およびサラウンド係数値を表示する表示部３４と、ボリューム値、イコライザ係数値、およびサラウンド係数値の設定を行う操作部３５と、これらを制御するＣＰＵ３６を備えている。
【００３２】
なお、ＣＰＵ３６、表示部３４、および操作部３５が、最適なボリューム値、イコライザ係数値、およびサラウンド係数値を設定する設定手段として機能する。
【００３３】
実施例３に係る情報再生装置では、表示部３４に、現在のサラウンド係数値、イコライザ係数値、およびボリューム値が表示される。そして、ユーザが操作部３５を操作することにより、サラウンド係数値、イコライザ係数値、あるいはボリューム値の少なくとも１つの変更が指示されると、ＣＰＵ３６が所定のプログラムに従って動作し、音場再生特性を十分に発揮するとともに、音の歪みを発生させることがないように、最も適切なサラウンド係数値、イコライザ係数値、およびボリューム値を設定する。
【００３４】
次に、図６を参照して、実施例３に係る情報再生装置において、最適なボリューム値、イコライザ係数値、およびサラウンド係数値を設定する手順を説明する。図６は、実施例３に係る情報再生装置において、最適なボリューム値、イコライザ係数値、およびサラウンド係数値を設定する手順を示すフローチャートである。
【００３５】
実施例３に係る情報再生装置では、ボリューム値の変更が指示されたか否かを監視し（Ｓ３１）、ボリューム値の変更が指示された場合には、サラウンド毎イコライザ係数メモリ３２およびサラウンド係数メモリ３３へアクセスして、変更後のボリューム値に対応する最適なイコライザ係数値およびサラウンド係数値を読み出し、当該イコライザ係数値およびサラウンド係数値を設定する（Ｓ３２）。
【００３６】
また、サラウンド係数値の変更が指示されたか否かを監視し（Ｓ３３）、サラウンド係数値の変更が指示された場合には、サラウンド係数メモリ３３へアクセスして、現在のボリューム値に対応する最適なサラウンド係数値を読み出し、当該サラウンド係数値を設定する（Ｓ３４）。
【００３７】
また、イコライザ係数値の変更が指示されたか否かを監視し（Ｓ３５）、イコライザ係数値の変更が指示された場合には、現在のサラウンド係数値の設定を確認するとともに（Ｓ３６）、サラウンド毎イコライザ係数メモリ３２へアクセスして、現在のボリューム値およびサラウンド係数値に対応する最適なイコライザ係数値を読み出し、当該イコライザ係数値を設定する（Ｓ３７）。
【００３８】
＜実施例４＞
図７は、本発明の実施例４に係る情報再生装置の概略構成を示すブロック図である。
本発明の実施例４に係る情報再生装置は、上記実施例１に係る情報再生装置と比較して、イコライザ係数値を記憶するためのメモリに、ボリューム値に対応する最適なイコライザ係数値が記憶されている点、およびサラウンド係数値を記憶するためのメモリに、ボリューム値に対応する最適なサラウンド係数値が記憶されている点が異なり、その他の構成は実施例１に係る情報再生装置とほぼ同様となっている。
【００３９】
すなわち、実施例４に係る情報再生装置は、図７に示すように、現在のボリューム値を記憶したボリュームメモリ４１と、ボリューム値に対応する最適なイコライザ係数値を記憶したイコライザ係数メモリ４２と、ボリューム値に対応する最適なサラウンド係数値を記憶したサラウンド係数メモリ４３と、ボリューム値、イコライザ係数値、およびサラウンド係数値を表示する表示部４４と、ボリューム値、イコライザ係数値、およびサラウンド係数値の設定を行う操作部４５と、これらを制御するＣＰＵ４６を備えている。
【００４０】
なお、ＣＰＵ４６、表示部４４、および操作部４５が、最適なボリューム値、イコライザ係数値、およびサラウンド係数値を設定する設定手段として機能する。
【００４１】
実施例４に係る情報再生装置では、表示部４４に、現在のサラウンド係数値、イコライザ係数値、およびボリューム値が表示される。そして、ユーザが操作部４５を操作することにより、サラウンド係数値、イコライザ係数値、あるいはボリューム値の少なくとも１つの変更が指示されると、ＣＰＵ４６が所定のプログラムに従って動作し、音場再生特性を十分に発揮するとともに、音の歪みを発生させることがないように、最も適切なサラウンド係数値、イコライザ係数値、およびボリューム値を設定する。
【００４２】
次に、図８を参照して、実施例４に係る情報再生装置において、最適なボリューム値、イコライザ係数値、およびサラウンド係数値を設定する手順を説明する。図８は、実施例４に係る情報再生装置において、最適なボリューム値、イコライザ係数値、およびサラウンド係数値を設定する手順を示すフローチャートである。
【００４３】
実施例４に係る情報再生装置では、ボリューム値の変更が指示されたか否かを監視し（Ｓ４１）、ボリューム値の変更が指示された場合には、イコライザ係数メモリ４２およびサラウンド係数メモリ４３へアクセスして、変更後のボリューム値に対応する最適なイコライザ係数値およびサラウンド係数値を読み出し、当該イコライザ係数値およびサラウンド係数値を設定する（Ｓ４２）。
【００４４】
また、サラウンド係数値の変更が指示されたか否かを監視し（Ｓ４３）、サラウンド係数値の変更が指示された場合には、サラウンド係数メモリ４３へアクセスして、現在のボリューム値に対応する最適なサラウンド係数値を読み出し、当該サラウンド係数値を設定する（Ｓ４４）。
【００４５】
また、イコライザ係数値の変更が指示されたか否かを監視し（Ｓ４５）、イコライザ係数値の変更が指示された場合には、イコライザ係数メモリ４２へアクセスして、現在のボリューム値に対応する最適なイコライザ係数値を読み出し、当該イコライザ係数値を設定する（Ｓ４６）。
【００４６】
＜他の実施形態＞
なお、上記各実施例では、サラウンド機能およびイコライザ機能を発揮するための構成についてのみ図示し、音声等を再生するための構成については具体的に図示していないが、本発明の実施例に係る情報再生装置は音声等を再生するための構成を含んでいる。すなわち、ＣＤプレイヤ、ＭＤプレイヤ、ＤＶＤプレイヤ、ラジオ受信機、テレビ受信機、これらの機能を兼ね備えた複合プレイヤ、あるいはこれらの機能を発揮することが可能な機器を搭載したパーソナルコンピュータ等の情報再生装置に対して、図１，図３，図５，図７に示すサラウンド機能およびイコライザ機能を発揮するための構成が搭載されている。
【００４７】
また、表示部１４，２４，３４，４４は、ボリューム値、イコライザ係数値、およびサラウンド係数値を表示できればどのようなものであってもよいが、例えば、ドットマトリクス表示器、液晶表示器等により構成することができる。
【００４８】
また、操作部１５，２５，３５，４５は、ボリューム値、イコライザ係数値、およびサラウンド係数値の設定指示を行うことができればどのようなものであってもよいが、例えば、操作ボタン、タッチパネル等により構成することができる。さらに、操作部１５，２５，３５，４５をリモートコントロール機器に搭載するようにしてもよい。
【００４９】
また、ＣＰＵ１６，２６，３６，４６とは、動作プログラムの記憶領域、一時記憶領域、インターフェース等の周辺機器を含んだものであり、例えばワンチップマイコン等により構成することができる。
【００５０】
また、上記各実施例において、ユーザがサラウンド係数値を「Ａ」に変更しようとした場合、そのままサラウンド係数値「Ａ」が設定されるのではなく、現在のボリューム値およびイコライザ係数値との対応に基づいて、サラウンド係数値「Ａ」に近似する最適なサラウンド係数値「Ａ′」が設定されるように構成することができる。
【００５１】
また、ユーザがイコライザ係数値を「ａ」に変更しようとした場合、そのままイコライザ係数値「ａ」が設定されるのではなく、現在のボリューム値およびサラウンド係数値との対応に基づいて、イコライザ係数値「ａ」に近似する最適なサラウンド係数値「ａ′」が設定されるように構成することができる。
【００５２】
【発明の効果】
以上説明したように、本発明に係る情報再生装置によれば、ボリュームメモリに記憶されたボリューム値、イコライザ係数メモリに記憶されたイコライザ係数値、およびサラウンド係数メモリに記憶されたサラウンド係数値に基づいて、最適なボリューム値、イコライザ係数値、およびサラウンド係数値が設定されるため、音場再生特性を十分に発揮することができるとともに、音の歪みを発生させることがない。
【図面の簡単な説明】
【図１】本発明の実施例１に係る情報再生装置の概略構成を示すブロック図である。
【図２】本発明の実施例１に係る情報再生装置において、最適なボリューム値、イコライザ係数値、およびサラウンド係数値を設定する手順を示すフローチャートである。
【図３】本発明の実施例２に係る情報再生装置の概略構成を示すブロック図である。
【図４】本発明の実施例２に係る情報再生装置において、最適なボリューム値、イコライザ係数値、およびサラウンド係数値を設定する手順を示すフローチャートである。
【図５】本発明の実施例３に係る情報再生装置の概略構成を示すブロック図である。
【図６】本発明の実施例３に係る情報再生装置において、最適なボリューム値、イコライザ係数値、およびサラウンド係数値を設定する手順を示すフローチャートである。
【図７】本発明の実施例４に係る情報再生装置の概略構成を示すブロック図である。
【図８】本発明の実施例４に係る情報再生装置において、最適なボリューム値、イコライザ係数値、およびサラウンド係数値を設定する手順を示すフローチャートである。
【図９】従来のイコライザ係数設定機能を備えたステレオ再生装置の概略構成を示すブロック図である。
【符号の説明】
１  ボリュームメモリ
２  イコライザ係数メモリ
３  ＣＰＵ
４  表示部
５  操作部
１１，２１，３１，４１  ボリュームメモリ
１２，３２  サラウンド毎イコライザ係数メモリ
１３，２３  イコライザ毎サラウンド係数メモリ
１４，２４，３４，４４  表示部
１５，２５，３５，４５  操作部
１６，２６，３６，４６  ＣＰＵ
２２，４２  イコライザ係数メモリ
３３，４３  サラウンド係数メモリ
【図１】
2005004928.tif 000003
【図２】
2005004928.tif 000004
【図３】
2005004928.tif 000005
【図４】
2005004928.tif 000006
【図５】
2005004928.tif 000007
【図６】
2005004928.tif 000008
【図７】
2005004928.tif 000009
【図８】
2005004928.tif 000010
【図９】
2005004928.tif 000011